(57)【特許請求の範囲】
【請求項１】
入口がケース本体の収容室に連通するドレン水用配管を備え、前記ドレン水用配管に前記収容室で発生したドレン水を通過させることにより、ドレン水を収容室の外部に排出するショーケースのドレン水処理装置において、
半球状の形態を成し、かつ内部に形成された凹部の開口縁部に互いに中心軸が同一直線上となる態様で設けられた左右一対の軸状部の中心軸回りに回転可能となるよう前記ドレン水用配管の入口近傍に軸支されるものであって、常態においては前記凹部が前記収容室を臨む態様でドレン水用配管の入口を閉塞する一方、前記凹部に貯留するドレン水が予め設定された量を超える場合には該ドレン水の重量により前記軸状部の中心軸回りに回転して前記ドレン水用配管に該ドレン水を通過させるドレン水受部材を備えたことを特徴とするショーケースのドレン水処理装置。
【請求項２】
前記ドレン水受部材は、自身の配設部位に対して着脱可能となる態様で配設したことを特徴とする請求項１に記載のショーケースのドレン水処理装置。
【発明の詳細な説明】
【技術分野】
【０００１】
本発明は、ショーケースのドレン水処理装置に関し、より詳細には、ケース本体の収容室で発生したドレン水を外部に排出するドレン水処理装置に関するものである。
【背景技術】
【０００２】
従来、ケース本体の収容室で発生したドレン水を外部に排出するドレン水処理装置が知られている。このようなドレン水処理装置は、ドレン排出部を備えて構成されている。
【０００３】
ドレン排出部は、収容室の底部に形成された排出孔に自身の入口が連通しており、該入口を通じてドレン水を導入し、自身の内部を通過させて、出口を通じてドレン水を収容室の外部に排出するものである。このようなドレン排出部においては、入口から出口に至る途中において該入口及び該出口よりも相対的に下方となるトラップ部を有している。
【０００４】
かかる構成を有するドレン水処理装置は、ドレン排出部が収容室内で発生したドレン水を入口より導入することになる。ここでドレン排出部は、トラップ部が入口及び出口よりも相対的に下方となることから、入口より導入したドレン水をトラップ部に貯留し、該トラップ部に貯留されたドレン水の貯留高さレベルが出口の高さレベルを超える場合に、トラップ部に貯留されたドレン水の一部を出口より排出する。このドレン排出部を通じて排出されたドレン水は、排水パイプ等にて蒸発されることになる（例えば、特許文献１参照）。
【先行技術文献】
【特許文献】
【０００５】
【特許文献１】実開昭６３−４０７８３号公報
【発明の概要】
【発明が解決しようとする課題】
【０００６】
ところで、上述したようなドレン水処理装置では、トラップ部にドレン水が必要量貯留するまでは、収容室の内部は、ドレン排出部を通じて収容室外部と連通状態になっている。そのため、排水パイプ等で生ずる排水等の臭気がドレン排出部を通じて収容室内に進入してしまう虞れがあった。
【０００７】
本発明は、上記実情に鑑みて、ドレン水の発生量が十分でない場合にもドレン水用配管を閉塞し、収容室に臭気等が進入することを防止することができるショーケースのドレン水処理装置を提供することを目的とする。
【課題を解決するための手段】
【０００８】
上記目的を達成するために、本発明に係るショーケースのドレン水処理装置は、入口がケース本体の収容室に連通するドレン水用配管を備え、前記ドレン水用配管に前記収容室で発生したドレン水を通過させることにより、ドレン水を収容室の外部に排出するショーケースのドレン水処理装置において、半球状の形態を成し、かつ内部に形成された凹部の開口縁部に互いに中心軸が同一直線上となる態様で設けられた左右一対の軸状部の中心軸回りに回転可能となるよう前記ドレン水用配管の入口近傍に軸支されるものであって、常態においては前記凹部が前記収容室を臨む態様でドレン水用配管の入口を閉塞する一方、前記凹部に貯留するドレン水が予め設定された量を超える場合には該ドレン水の重量により前記軸状部の中心軸回りに回転して前記ドレン水用配管に該ドレン水を通過させるドレン水受部材を備えたことを特徴とする。
【０００９】
また本発明は、上記ショーケースのドレン水処理装置において、前記ドレン水受部材は、自身の配設部位に対して着脱可能となる態様で配設したことを特徴とする。
【発明の効果】
【００１０】
本発明によれば、ドレン水受部材が、自身に設けられた軸状部の軸心回りに回転可能となる態様でドレン水用配管の入口近傍に軸支されてなり、常態においては、自身に設けられた凹部が収容室を臨む態様でドレン水用配管の入口を閉塞する一方、凹部に貯留するドレン水が予め設定された量を超える場合に、該ドレン水の重量により軸状部の軸心回りに回転してドレン水用配管に該ドレン水を通過させるので、ドレン水の発生量が十分でない場合にもドレン水用配管を閉塞し、収容室に臭気等が進入することを防止することができるという効果を奏する。
【図面の簡単な説明】
【００１１】
【図１】図１は、本発明の実施の形態であるドレン水処理装置が適用されたショーケースの内部構造を側方から見た場合を示す断面側面図である。
【図２】図２は、図１に示したショーケースの収容室の底部を部分的に拡大して示す拡大断面図である。
【図３】図３は、図２に示したドレン水受部材を示す斜視図で、一部を断面で示している。
【図４】図４は、図１に示したショーケースの収容室の底部を部分的に拡大して示す拡大断面図である。
【発明を実施するための形態】
【００１２】
以下に添付図面を参照して、本発明に係るショーケースのドレン水処理装置の好適な実施の形態について詳細に説明する。
【００１３】
図１は、本発明の実施の形態であるドレン水処理装置が適用されたショーケースの内部構造を側方から見た場合を示す断面側面図である。ここで例示するショーケースは、ケース本体１を備えている。
【００１４】
ケース本体１は、略直方状の断熱筐体であり、その内部は収容室１０が設けてある。収容室１０は、前面開口１ａが形成され、その内部には収納室２が画成してあるとともに、空気循環手段３が設けてある。
【００１５】
収納室２は、上記前面開口１ａを臨む態様で画成された室であり、複数の商品載置棚２０が上下方向に沿って複数段並べて配設してある。
【００１６】
空気循環手段３は、空気通路４と循環ファンＦとを備えて構成してある。空気通路４は、吸込口５から吹出口６に至る空気の通路である。ここに吸込口５は、収納室２の内部の空気を吸い込むための開口であり、収納室２の左右方向に沿って延設してある。この吸込口５は、収納室２の下側前方縁部、すなわちケース本体１の前面開口１ａ近傍の下部に配設してある。吹出口６は、収納室２の内部に空気を吹き出すための開口である。これら吹出口６は、収納室２の左右方向に延設してあって、収納室２の上側前方縁部、すなわちケース本体１の前面開口１ａ近傍の上部に前後に並設してある。
【００１７】
このような空気通路４は、収納室２外であってその下方にある下方ダクト４ａと、収納室２外であってその背面側にある背面ダクト４ｂと、収納室２外であってその上方にある上方ダクト４ｃとを互いに連通した態様で構成してある。
【００１８】
循環ファンＦは、空気を循環させるものであり、背面ダクト４ｂの所定部位に配設してある。本実施の形態においては、循環ファンＦは背面ダクト４ｂの所定部位に配設してあるが、本発明では、循環ファンＦの配設位置は特に限定されるものではなく、後述する循環ファンＦの機能を発揮することができる個所であればどこに配設しても構わない。
【００１９】
このような空気循環手段３においては、循環ファンＦが駆動することにより吸込口５を通じて収納室２の内部にある空気（内部空気）を吸い込み、吸い込んだ空気が空気通路４を通過する態様で吹出口６まで送出し、吹出口６を通じて送出した空気を収納室２の内部に吹き出すことにより、収納室２の内部と外部との間で空気を循環させるものである。
【００２０】
上記空気通路４の背面ダクト４ｂには蒸発器７が設けてある。蒸発器７は、図示せぬ圧縮機、凝縮器及び膨張弁とともに冷媒を循環させる冷媒循環手段を構成する。ここに圧縮機は、冷媒を圧縮するものであり、凝縮器は、圧縮機で圧縮された冷媒を凝縮させるものである。膨張弁は、凝縮器で凝縮された冷媒を断熱膨張させて低温低圧の状態にさせるものである。
【００２１】
蒸発器７は、循環ファンＦが駆動することにより背面ダクト４ｂを下方から上方に向けて通過する空気と、膨張弁で断熱膨張された冷媒とを熱交換させるもの、より詳細には、冷媒を蒸発させることにより背面ダクト４ｂ（空気通路４）を通過する空気を冷却するものである。この蒸発器７で蒸発した冷媒は、再び圧縮機に戻り圧縮されることになる。
【００２２】
図２は、図１に示したショーケースの収容室の底部を部分的に拡大して示す拡大断面図である。この図２に示すように、収容室１０の底部１２、すなわち下方ダクト４ａの下部には、ドレン水処理装置３０が配設してある。ドレン水処理装置３０は、ドレン水用配管３１と、ドレン水受部材３２とを備えて構成してある。
【００２３】
ドレン水用配管３１は、収容室１０の底部１２を上下方向に沿って貫通する態様で形成してある。このドレン水用配管３１の上部開口は入口３１ａとなっており、当該入口３１ａがケース本体１の収容室１０（下方ダクト４ａ）に連通している。一方、ドレン水用配管３１の下部開口は出口３１ｂとなっており、外部１１に連通している。このようなドレン水用配管３１は、入口３１ａから導入したドレン水を通過させて、出口３１ｂより排出するものである。このドレン水用配管３１の出口３１ｂから排出されたドレン水は、図示せぬ樋部材を通じて排水パイプ（図示せず）まで移送され、該排水パイプからの熱により蒸発されることになる。
【００２４】
ドレン水受部材３２は、例えばＡＢＳ樹脂等の樹脂材等から形成されるもので、半球状の形態をなし、図３に示すように、内部に凹部３２１が形成してある。このドレン水受部材３２の凹部３２１の開口縁部には、左右一対の軸状部３２２が一体的に設けてある。この軸状部３２２は、互いの中心軸Ｌが同一直線上となる態様で設けてある。
【００２５】
ドレン水受部材３２は、軸状部３２２の軸心（中心軸）Ｌ回りに回転可能となる態様で、ドレン水用配管３１の入口３１ａの近傍に係止部材４０に係止された状態で軸支されている。より詳細には、ドレン水受部材３２は、係止部材４０との係止状態が解除されることにより、軸状部３２２が入口３１ａの近傍から離脱することが可能となっており、当該入口３１ａの近傍（配設部位）に対して着脱可能に配設してある。
【００２６】
このドレン水受部材３２は、常態においては、すなわち凹部３２１に対して予め決められた量（以下、設定量ともいう）のドレン水が貯留される前の状態においては、図２に示すように、凹部３２１が収容室１０（下方ダクト４ａ）を臨む姿勢に調整してあり、かかる姿勢によりドレン水用配管３１の入口３１ａを閉塞している。
【００２７】
このようなドレン水受部材３２の凹部３２１に収容室１０の内部で発生したドレン水が徐々に貯留していき、貯留量が設定量を超えると、ドレン水受部材３２は、貯留されたドレン水の重量により、図４に示すように軸状部３２２の軸心Ｌ回りに回転する。これにより凹部３２１に貯留されたドレン水は、ドレン水用配管３１に進入し、かかるドレン水用配管３１を通過して出口３１ｂより排出される。
【００２８】
凹部３２１に貯留されたドレン水の全部、あるいは一部が排出されることにより、凹部３２１に貯留されるドレン水が設定量以下になると、ドレン水用受部材は、再び軸状部３２２の軸心Ｌ回りに回転して、図２に示すような基本姿勢に戻る。
【００２９】
つまり、ドレン水受部材３２は、常態においては、自身に設けられた凹部３２１が収容室１０を臨む態様でドレン水用配管３１の入口３１ａを閉塞する一方、凹部３２１に貯留するドレン水が設定量を超える場合に、該ドレン水の重量により軸状部３２２の軸心Ｌ回りに回転してドレン水用配管３１に該ドレン水を通過させるものである。
【００３０】
本発明の実施の形態であるショーケースのドレン水処理装置３０においては、ドレン水受部材３２が、常態においては、自身に設けられた凹部３２１が収容室１０を臨む態様でドレン水用配管３１の入口３１ａを閉塞する一方、凹部３２１に貯留するドレン水が設定量を超える場合に、該ドレン水の重量により軸状部３２２の軸心Ｌ回りに回転してドレン水用配管３１に該ドレン水を通過させるので、ドレン水の発生量が十分でない場合にもドレン水用配管３１を閉塞し、収容室１０に臭気等が進入することを防止することができる。
【００３１】
また、ドレン水受部材３２は、ドレン水用配管３１の入口３１ａの近傍に着脱可能に配設されているので、必要に応じてドレン水受部材３２を取り外すことができ、ドレン水受部材３２の清掃だけでなく、ドレン水用配管３１の清掃も容易に行うことができ、衛生的である。
【００３２】
以上、本発明の好適な実施の形態について説明したが、本発明はこれに限定されるものではなく、種々の変更を行うことができる。例えば、上述した実施の形態では、ドレン水受部材３２は、例えば半球状の形態をなしていたが、本発明においては、常態においては、自身に設けられた凹部３２１が収容室１０を臨む態様でドレン水用配管３１の入口３１ａを閉塞し、凹部３２１に貯留するドレン水が設定量を超える場合に、該ドレン水の重量により軸状部３２２の軸心Ｌ回りに回転することができればよく、その形状等は特に限定されない。
【産業上の利用可能性】
【００３３】
以上のように、本発明に係るショーケースのドレン水処理装置は、ケース本体の収容室で発生したドレン水を外部に排出するのに有用である。
【符号の説明】
【００３４】
１  ケース本体
２  収納室
３  空気循環手段
４  空気通路
４ａ  下方ダクト
１０  収容室
３０  ドレン水処理装置
３１  ドレン水用配管
３１ａ  入口
３１ｂ  出口
３２  ドレン水受部材
３２１  凹部
３２２  軸状部
４０  係止部材
【図１】
0005573243.tif 000002
【図２】
0005573243.tif 000003
【図３】
0005573243.tif 000004
【図４】
0005573243.tif 000005